(57)【特許請求の範囲】
【請求項１】
平坦部の左端には左段差部、左平坦部、起立部、半三角形状の突出部、垂直部及び水平部を順次連設した左起立部を設けるとともに、前記平坦部の右端には右段差部、右平坦部、起立部、半三角形状の突出部、垂直部、平坦部及び垂下部を順次連設した右起立部を設けたことを特徴とする屋根板。
【請求項２】
平坦部の左端には左段差部、左平坦部、起立部、半三角形状の突出部、垂直部及び水平部を順次連設した左起立部を設けるとともに、前記平坦部の右端には右段差部、右平坦部、起立部、半三角形状の突出部、垂直部、平坦部及び垂下部を順次連設した右起立部を設けた屋根板と、左傾斜部の下部には左折返部を設け前記左折返部に折返部を介して左折返片を連設するとともに右傾斜部の下部には右折返部を設け前記右折返部に折返部を介して右折返片を設け、前記左折返と前記右折返片間には間隙を設けて前記左傾斜部と右傾斜部とを連設したキャップと、垂直部の上端には右方向に上水平部を設け、前記垂直部の下端には左方向に下水平部を設けた吊子とからなり、前記吊子を野地板上の所望の個所に下水平部を固定し、前記吊子の垂直部の右側には屋根板の左起立部を、左側には屋根板の右起立部を密着するように設置し、前記屋根板の左起立部と右起立部とを前記吊子により巻き付けて接合し、接合した接合部に前記キャップを嵌着させたことを特徴とする屋根の接合構造。
【発明の詳細な説明】
【０００１】
【発明が属する技術分野】
本発明は、建築物に使用される建材である屋根板、サイディング及びそれらの接合構造に関する改良発明である。
【０００２】
【従来の技術】
従来から、各種の屋根、サイディング等の形状及び屋根、サイディング等の接合構造は存在している。
【０００３】
【発明が解決しようとする課題】
しかしながら、各種の屋根板、サイディング等の形状、構造及び屋根板、サイディング等の接合構造では、屋根板、サイディング等を施工する時間が掛かりすぎるとの欠点がある。
【０００４】
また、従来の屋根板、サイディング等の形状、構造では、施工しても大雨の時に、雨水が施工された屋根板、サイディング等の背面に浸透してしまい、屋根板、サイディングを固定している野地板を腐敗してしまうとの欠点がある。
【０００５】
更に、屋根板と屋根板、サイディングとサイディングを接合する際には、接合用の鋲を打ち込むために、鋲の頭部が外側に露見に外部からはっきりと見え、見栄えが良くないとの問題がある。
【０００６】
そこで、本発明は、連結部分にキャップを付けることにより防水性及び意匠性の向上した屋根板、サイディング等を提供するとともに、当該屋根板及びサイディングの接合構造を提供することを目的とするものである。
【０００７】
【課題を解決するための手段】
本発明は、上記の課題を解決するために、
平坦部１ｃの左端には左段差部１ｊ、左平坦部１ｉ、起立部１ｇ、半三角形状の突出部１ｆ、垂直部１ｅ及び水平部１ｄを順次連設した左起立部１ａを設けるとともに、前記平坦部１ｃの右端には右段差部１ｑ、右平坦部１ｎ、起立部１ｐ、半三角形状の突出部１ｏ、垂直部１ｍ、水平部１ｌ及び垂下部１ｋを順次連設した右起立部１ｂを設けたことを特徴とする屋根板１の構成及び平坦部１ｃの左端には左段差部１ｊ、左平坦部１ｉ、起立部１ｇ、半三角形状の突出部１ｆ、垂直部１ｅ及び水平部１ｄを順次連設した左起立部１ａを設けるとともに、前記平坦部１ｃの右端には右段差部１ｑ、右平坦部１ｎ、起立部１ｐ、半三角形状の突出部１ｏ、垂直部１ｍ、水平部１ｌ及び垂下部１ｋを順次連設した右起立部１ｂを設けた屋根板１と、左傾斜部２ａの下部には左折返部２ｄを設け前記左折返部２ｄに折返部２ｆを介して左折返片２ｈを連設するとともに右傾斜部２ｂの下部には右折返部２ｅを設け前記右折返部２ｅに折返部２ｇを介して右折返片２ｉを設け、前記左折返と前記右折返片２ｉ間には間隙を設けて前記左傾斜部２ａと右傾斜部２ｂとを連設したキャップ２と、垂直部３ｂの上端には右方向に上水平部３ｃを設け、前記垂直部３ｂの下端には左方向に下水平部３ａを設けた吊子３とからなり、前記吊子３を野地板４上の所望の個所に下水平部３ａを固定し、前記吊子３の垂直部３ｂの右側には屋根板１の左起立部１ａを、左側には屋根板１の右起立部１ｂを密着するように設置し、前記屋根板１の左起立部１ａと右起立部１ｂとを前記吊子３により巻き付けて接合し、接合した接合部ａに前記キャップ２を嵌着させたことを特徴とする屋根の接合構造の構成とした。
【０００８】
【実施例】
以下に、添付図面に基づいて、本発明である屋根板及びその接合構造について詳細に説明する。
【０００９】
図１は、本発明である屋根板及びその接合構造に使用する屋根板の正面図である。図１に示すように、屋根板１は、平坦部１ｃと左起立部１ａと右起立部１ｂとからなる。平坦部１ｃの左端に左起立部１ａが上方に垂直に起立しているとともに、右端には右起立部１ｂが上方に垂直に起立している。
【００１０】
平坦部１ｃの左端部を上方にやや傾斜するように折り曲げて左段差部１ｊを設け、前記左段差部１ｊに続けて左平坦部１ｉを設け、左平坦部１ｉに続けて垂直に起立する起立部１ｇを設け、起立部１ｇに続けて内方に傾斜するとともに突出する半三角形状の突出部１ｆを設け、突出部１ｆに続けて垂直部１ｅを設け、垂直部１ｅに続けて水平部１ｄを順次連設してある。符号１ｈ、１ｒは、凹部である。
【００１１】
また、平坦部１ｃの右端部を上方にやや傾斜するように折り曲げて段差部１ｑを設け、前記段差部１ｑに続けて右平坦部１ｎを設け、右平坦部１ｎに続けて垂直に起立する起立部１ｐを設け、起立部１ｐに続けて内方に傾斜するとともに、突出する半三角形状の突出部１ｏを設け、半三角形状の突出部１ｏに続けて垂直部１ｍを設け、垂直部１ｍに続けて水平部１ｌを設け、水平部１ｌに続けて垂下部１ｋを設け順次連設してある。
【００１２】
図２は、本発明である屋根板及びその接合構造の屋根板と屋根板とを接合するための使用するキャップの正面図である。図２に示すように、キャップ２は、略Ｕ字形に形成されている。
【００１３】
キャップ２は、左傾斜部２ａと右傾斜部２ｂと連設部２ｃと左折返部２ｄと右折返部２ｅとからなる。キャップ２は、キャップ２の上部より下部の方がやや幅広である。そして、左傾斜部２ａと右傾斜部２ｂとは、断面形状が略半円形状の連設部２ｃにより連設している。
【００１４】
左傾斜部２ａの下部には左折返部２ｄが形成されているとともに、右傾斜部２ｂの下部には右折返部２ｅが形成されている。そして、左折返部２ｄの先端部は折返部２ｆにより左傾斜部２ａの方向に折り返されて左折込片２ｈがあり、右折返部２ｅの先端部は折返部２ｇにより右傾斜部２ｂの方向に折り返されて右折込片２ｉがある。
【００１５】
図３は、本発明である屋根板及びその接合構造に使用する吊子の正面図である。図３に示すように、吊子３は、垂直部３ｂと、垂直部３ｂの上端には右方向に突出する上水平部３ｃがあり、垂直部３ｂの下端には左方向に水平に突出する下水平部３ａが連設されている。
【００１６】
図４は、本発明である屋根板及びその接合構造を構成する屋根板、吊子及びキャップの位置関係を示した正面図である。図１に示すように、先ず、吊子３を野地板４に固定する。
【００１７】
次に、吊子３の左側に屋根板１を右起立部１ｂが吊子３側に来るように配置するとともに、吊子３の右側に屋根板１を左起立部１ａが吊子３側に来るように配置し、吊子３を介して吊子３の左側にある屋根板１と右側にある屋根板１と接合し、その後キャップ２を接合した個所に嵌着させる。
【００１８】
図５から図８までは、屋根板１と屋根板１とを吊子３を介して接合する工程を示した図である。以下に、図５、図６、図７及び図８に基づいて、屋根板１と屋根板１を吊子３を介して野地板４上に接合し設置する工程を説明する。
【００１９】
図５は、本発明である屋根板及びその接合構造を構成する屋根板と屋根板を吊子を介して接合させようとする状態の正面図である。図５に示すように、先ず、吊子３を野地板４上の所望の個所に下水平部３ａを固定する。
【００２０】
次に、図６に示したように前記吊子３の垂直部３ｂの右側に屋根板１の左起立部１ａを、密着するように設置する。すると、左起立部１ａの垂直部１ｅ及び水平部１ｄは、吊子３の垂直部３ｂ及び上水平部３ｃに密着する。この状態で、吊子３の上水平部３ｃの先端部３ｄを、先端部３ｄが左起立部１ａの水平部１ｄの下面に密着するまで折り曲げる。
【００２１】
その後、吊子３の垂直部３ｂの左側に屋根板１に形成されている右起立部１ｂを密着させる。すると、右起立部１ｂの垂直部１ｍ、水平部１ｌ及び垂下部１ｋ内に吊子３の垂直部３ｂ、上水平部３ｃが覆い被される。
【００２２】
図６は、本発明である屋根板及びその接合構造を構成する屋根板と屋根板を吊子を介して接合させようとして垂下部を折り曲げた状態の正面図である。そして、図６に示すように、垂下部１ｋを折り曲げて吊子３の上水平部３ｃの先端部３ｄに密着させる。この工程では、図６に示すように、接合部ａは、水平状態にある。
【００２３】
図７は、本発明である屋根板及びその接合構造を構成する屋根板、吊子、キャップ等により屋根板と屋根板とを接合した状態の正面図である。図７に示すように、最後に、水平状態にある接合部ａを垂直状態となるまで更に折り曲げて、接合部ａを覆い隠すためにキャップ２の間隙２ｊに接合部ａの上端に当て、強く押し下げて嵌着させる。
【００２４】
キャップ２が接合部ａに嵌着させると、キャップ２の左右にある折返部２ｆ、２ｇが左右起立部１ａ、１ｂに形成されている半三角形状の左右の突出部１ｏ、１ｆの下部を押圧して係止する。即ち、凹部１ｈ、１ｒに入り込むのである。
【００２５】
図８は、本発明である屋根板及びその接合構造を構成する屋根板、吊子、キャップ等により屋根板と屋根板とを連続して接合した状態の正面図である。図８に示すように、屋根板１と屋根板１とを接合し、接合された屋根板１に更に屋根板１を次々と連続して接合することができる。
【００２６】
図９は、本発明である屋根板及びその接合構造により土台上に設置した状態の一部正面図である。図９に示すように、土台５上に屋根板１と屋根板１とを次々と接合しても、平坦部１ｃ、１ｃ、１ｃ、１ｃ・・・の何れにも接合用の鋲が表面に表れない。
【００２７】
本発明である屋根板及びその接合構造は、屋根板のみに使用することができるだけではなく、壁面用としてサイディングの接合構造としても使用することができる。
【００２８】
【発明の効果】
本発明は、以上に説明したような構成であるから、以下の効果が得られる。第１に、本発明である屋根板、サイディング等の形状、構造では、容易に施工することができ、かつ短時間で施工することができる。
【００２９】
第２に、本発明である屋根板、サイディング等の形状、構造により施工したときには、大雨があっても雨水が施工された屋根板、サイディング等の背面に浸透することがないので、屋根板、サイディングを固定している野地板が腐敗することがなくなる。
【００３０】
第３、屋根板と屋根板を接合する際及びサイディングとサイディングを接合する際には、接合用の鋲を打ち込むことがなく、鋲の頭部が外側に露見することがないので外観の見栄えが極めて良い。
【図面の簡単な説明】
【図１】  本発明である屋根板及びその接合構造に使用する屋根板の正面図である。
【図２】  本発明である屋根板及びその接合構造の屋根板と屋根板とを接合するための使用するキャップの正面図である。
【図３】  本発明である屋根板及びその接合構造に使用する吊子の正面図である。
【図４】  本発明である屋根板及びその接合構造を構成する屋根板、吊子及びキャップの位置関係を示した正面図である。
【図５】  本発明である屋根板及びその接合構造を構成する屋根板と屋根板を吊子を介して接合させようとする状態の正面図である。
【図６】    本発明である屋根板及びその接合構造を構成する屋根板と屋根板を吊子を介して接合させようとして垂下部を折り曲げた状態の正面図である。
【図７】  本発明である屋根板及びその接合構造を構成する屋根板、吊子、キャップ等により屋根板と屋根板とを接合した状態の正面図である。
【図８】    本発明である屋根板及びその接合構造を構成する屋根板、吊子、キャップ等により屋根板と屋根板とを連続して接合した状態の正面図である。
【図９】  本発明である屋根板及びその接合構造により土台上に設置した状態の一部正面図である。
【符合の説明】
１      屋根板
１ａ    左起立部
１ｂ    右起立部
１ｃ    平坦部
１ｄ    水平部
１ｅ    垂直部
１ｆ    突出部
１ｇ    起立部
１ｈ    凹部
１ｉ    左平坦部
１ｊ    左段差部
１ｋ    垂下部
１ｌ    水平部
１ｍ    垂直部
１ｎ    右平坦部
１ｏ    突出部
１ｐ    起立部
１ｑ    段差部
１ｒ    凹部
２      キャップ
２ａ    左傾斜部
２ｂ    右傾斜部
２ｃ    連設部
２ｄ    左折返部
２ｅ    右折返部
２ｆ    折返部
２ｇ    折返部
２ｈ    左折返片
２ｉ    右折返片
２ｊ    間隙
３      吊子
３ａ    下水平部
３ｂ    垂直部
３ｃ    上水平部
３ｄ    先端部
４      野地板
５      土台
ａ      接合部
【図１】
0003749999.tif 000002
【図２】
0003749999.tif 000003
【図３】
0003749999.tif 000004
【図４】
0003749999.tif 000005
【図５】
0003749999.tif 000006
【図６】
0003749999.tif 000007
【図７】
0003749999.tif 000008
【図８】
0003749999.tif 000009
【図９】
0003749999.tif 000010